(57)【要約】【課題】脱毛が安全で、脱毛プロセスが簡単で信頼性があり、より便利に使用でき、より人間に優しい脱毛器を提供する。【解決手段】脱毛器が提供される。該脱毛器は、本体部材と、当該本体部材を収容するハウジングとを備える。本体部材は、発熱ヘッドと、ホルダーと、回路基板とを備える。発熱ヘッドには加熱ワイヤーが固定され、該加熱ワイヤーは、制御可能に当該回路基板に電気的に接続されている。脱毛器の発熱ヘッドを脱毛が必要な肌の領域に置くと、加熱ワイヤーに通電されて発熱して毛髪を定温で加熱する。【選択図】図３
2015013097.tif 000002
【特許請求の範囲】
【請求項１】
本体部材と、前記本体部材を収容するハウジングとを備え、前記本体部材は、発熱ヘッドと、ホルダーと、回路基板とを備え、前記発熱ヘッドには加熱ワイヤーが固定されている脱毛器であって、
前記加熱ワイヤーは、制御可能に前記回路基板に電気的に接続されており、前記脱毛器の前記発熱ヘッドを脱毛が必要な肌の領域に置くと、前記加熱ワイヤーに通電されて発熱し、毛髪を定温で加熱することを特徴とする、脱毛器。
【請求項２】
前記回路基板には、第１の電気的接触点が設けられ、前記ホルダーには、第２の電気的接触点が設けられており、前記発熱ヘッドを前記脱毛が必要な肌の領域に置くと、前記発熱ヘッドの動きにより前記ホルダー内の前記第２の電気的接触点と前記第１の電気的接触点が電気的に導通されることを特徴とする、請求項１に記載の脱毛器。
【請求項３】
前記ホルダーと前記回路基板との間にバネが設けられ、前記発熱ヘッドを肌の表面から離すと、前記バネの力により前記第１の電気的接触点と前記第２の電気的接触点が電気的に切断され、前記加熱ワイヤーへの通電及び発熱を停止することを特徴とする、請求項２に記載の脱毛器。
【請求項４】
前記加熱ワイヤーの定温の加熱温度を２５０℃〜４５０℃に設定するか、又は前記加熱ワイヤーの加熱温度を、２５０℃〜３００℃の第１の調整可能な範囲と、３００℃〜４００℃の第２の調整可能な範囲と、４００℃〜４５０℃の第３の調整可能な範囲と、の３つの調整可能な範囲に設定することを特徴とする、請求項１〜３のいずれか１項に記載の脱毛器。
【請求項５】
加熱された加熱ワイヤーにより身体の毛髪を除去する脱毛器の制御方法であって、
前記脱毛器の電源をオンにして、それを待機状態にするステップ（Ｓ１１）と、
前記脱毛器は発熱ヘッドを備えており、前記加熱ワイヤーが前記発熱ヘッドに固定され、該発熱ヘッドを脱毛が必要な肌の領域に置くステップ（Ｓ１２）と、
脱毛が必要な場合に前記脱毛器の前記加熱ワイヤーを電気的に導通し、前記毛髪を定温で加熱し脱毛するステップ（Ｓ１３）と、
を含むことを特徴とする、脱毛器の制御方法。
【請求項６】
前記脱毛器には、スイッチコントロールボタンが設けられ、
前記脱毛するステップ（Ｓ１３）では、前記スイッチコントロールボタンを押したままにすると、前記加熱ワイヤーが持続的に発熱して脱毛し、前記スイッチコントロールボタンを放すと、前記加熱ワイヤーが発熱を停止することを特徴とする、請求項５に記載の脱毛器の制御方法。
【請求項７】
前記脱毛するステップ（Ｓ１３）では、前記加熱ワイヤーには直流が通電され、脱毛するときの加熱パワーが変わらないよう保持されることを特徴とする、請求項５又は６に記載の脱毛器の制御方法。
【請求項８】
前記脱毛するステップ（Ｓ１３）では、前記加熱ワイヤーの定温の加熱温度を２００℃〜４００℃に設定するか、又は前記加熱ワイヤーの加熱温度を、２００℃〜３００℃の第１の調整可能な範囲と、３００℃〜３５０℃の第２の調整可能な範囲と、３５０℃〜４００℃の第３の調整可能な範囲と、の３つの調整可能な範囲に設定することを特徴とする、請求項５〜７のいずれか１項に記載の脱毛器の制御方法。
【請求項９】
前記脱毛するステップ（Ｓ１３）では、加熱脱毛するときに、前記加熱ワイヤーと前記肌の表面との距離は０ミリメートルより大きく、３０ミリメートル未満であることを特徴とする、請求項５〜８のいずれか１項に記載の脱毛器の制御方法。
【請求項１０】
前記脱毛器には、センサーが設けられ、
前記脱毛するステップ（Ｓ１３）では、脱毛が必要な場合には、前記脱毛器を前記肌の表面に置き、前記センサーによりトリガー信号を感知して前記加熱ワイヤーを電気的に導通し、発熱させ、前記毛髪を定温で加熱して脱毛することを特徴とする、請求項５に記載の脱毛器の制御方法。
【請求項１１】
前記脱毛するステップ（Ｓ１３）では、前記発熱ヘッドを前記肌の表面に接触させると、前記発熱ヘッドが押されて収縮し、前記センサーをトリガーして、前記加熱ワイヤーを電気的に導通し発熱させ、前記発熱ヘッドを前記肌の表面から離すと、前記発熱ヘッドはバネによりその伸びた状態を取り戻し、前記センサーが感知しなくなり、前記加熱ワイヤーの電源が切られ発熱が停止することを特徴とする、請求項１０に記載の脱毛器の制御方法。
【請求項１２】
前記脱毛器には、タイマー又は計時器が設けられ、
前記脱毛するステップ（Ｓ１３）では、前記加熱ワイヤーの電気的導通の時間が前記タイマー又は前記計時器によりセットされた時間を超えると、前記加熱ワイヤーへの通電を停止することを特徴とする、請求項１から７のいずれかに記載の脱毛器の制御方法。
【発明の詳細な説明】
【技術分野】
【０００１】
本発明は脱毛器に関し、特に便利に使用され、安全に操作される電熱脱毛器の制御方法及び脱毛器に関する。
【背景技術】
【０００２】
人々の生活には、特に女性にとって、美容及び公共・社交の場のニーズのため、身体の個別部位の毛髪を完全に取り除く必要がある。従来の一つの方法は、機械式脱毛装置を使用して体毛を完全に取り除くものである。よく使用されるのは、例えば、剃刀である。このような器具は、使用するとき痛みを感じさせると共に、完全に取り除くことができないために、毛髪が局部的に長短まちまちになり、使用効果が非常に劣っている。ひいては、不注意により肌に傷をつけやすく、傷跡が残ってしまうことにもなる。それは美容の目的を達成できないだけでなく、容貌を損なうという隠れた危険性が潜んでいる。
【０００３】
その他にもよく使用される脱毛方法がいくつかある。例えば、レーザー脱毛及び光脱毛である。このような装置は、一般に大型の美容機関だけにあり、そのサイズが大きく、操作が複雑であり、非専門家による操作は安全性に関するリスクが非常に高い。一方、膨大な消費者にとっては、格安で便利に使用され、そして簡単で安全な装置が期待されているのであって、このような装置は美しさを求める数多くの女性の欲求を満たし難い。なお、脱毛ワックス、脱毛ペースト、脱毛剤などの化学的方法を用いて体毛を取り除くことができる。このような方法は比較的便利であり、格安ではあるが、これらの化学薬品は肌に副作用が出やすく、さらに、一部の化学薬品は使用するとき肌に与える刺激が非常に強いので、脱毛の全プロセスが非常に苦痛になる。女性にとって、短時間の美しさのために長時間のこのような苦しいプロセスを経ることは絶対に望ましくない。
【０００４】
近年、前述したいくつかの方法の欠点を改善するために、脱毛器の技術は次第に電熱脱毛法に向かっている。現在市販されている脱毛装置は、主に電動剃刀と電熱剃刀の２種類がある。電動剃刀は、依然として機械式脱毛方法を採用するが、電熱剃刀は、加熱ワイヤーの高温加熱で毛を取り除く方法を取っている。電動剃刀の脱毛の効率は非常に低く、隠れた危険性が高いので、このタイプの製品は次第に脱毛器の技術の市場から消えて行っている。逆に、電熱剃刀は、その使用の至便性、安全性、安さという利点により、数多くの女性ユーザーに憧れられている。このような装置は、脱毛器の技術の市場の多くを独占している。
【０００５】
電熱剃刀は、電熱脱毛器ともいう。その鍵となる技術的問題は安全性である。なぜなら、それは高熱で毛髪を取り除く方法を採用しており、一歩間違えば肌を容易に傷つけるからである。したがって、電熱脱毛器の加熱の安全問題に対して、ユーザーがより安心して使用できるようにより完全な技術的考案の提示が要求される。さらに、使用プロセスにおいて、どれだけより便利であるか、人間に優しいかという課題は非常に重要である。脱毛のために、大量の時間を費やすことは、誰にとっても絶対に望ましくない。したがって、電熱脱毛器の自動化度及び使用の至便性を如何に高めるかということは必要な急務であり、研究の方向でもある。
【発明の概要】
【発明が解決しようとする課題】
【０００６】
本発明は、従来の脱毛装置における、安全性が低い、脱毛プロセスが複雑である、自動化及び人間に対する優しさが乏しいという技術的課題を解決するために、脱毛が安全で、脱毛プロセスが簡単で信頼性があり、より便利に使用でき、より人間に優しい、新しい方式の脱毛器の制御方法及び脱毛器を提供する。
【課題を解決するための手段】
【０００７】
本発明に係る技術的課題を解決するための手段は、加熱された加熱ワイヤーにより身体の毛髪を除去する脱毛器の制御方法を提供し、脱毛器の電源をオンにして、それを待機状態にするステップＳ１１と、該脱毛器は発熱ヘッドを備えており、加熱ワイヤーが当該発熱ヘッドに固定され、発熱ヘッドを脱毛が必要な肌の領域に置くステップＳ１２と、脱毛が必要な場合に脱毛器の加熱ワイヤーを電気的に導通し、毛髪を定温で加熱し脱毛するステップＳ１３とを含む、脱毛器の制御方法を提供するものである。
【０００８】
好ましくは、ステップＳ１３では、脱毛器にスイッチコントロールボタンが設けられ、該スイッチコントロールボタンを押したままにすると、加熱ワイヤーが持続的に発熱して脱毛し、スイッチコントロールボタンを放すと、加熱ワイヤーが発熱を停止する。
【０００９】
好ましくは、ステップＳ１３では、加熱ワイヤーには直流が通電され、脱毛するときの加熱パワーが変わらないよう保持される。
【００１０】
好ましくは、ステップＳ１３では、加熱ワイヤーの定温の加熱温度を２００℃〜４００℃に設定するか、又は加熱ワイヤーの加熱温度を、２００℃〜３００℃の第１の調整可能な範囲と、３００℃〜３５０℃の第２の調整可能な範囲と、３５０℃〜４００℃の第３の調整可能な範囲との３つの調整可能な範囲に設定する。
【００１１】
好ましくは、ステップＳ１３では、加熱脱毛するときには、加熱ワイヤーと肌の表面との距離は０ミリメートルより大きく、３０ミリメートル未満である。
【００１２】
好ましくは、ステップＳ１３では、センサーが設けられ、脱毛が必要な場合に、脱毛器を肌の表面に置き、センサーによりトリガー信号を感知して加熱ワイヤーを電気的に導通し、発熱させ、毛髪を定温で加熱して脱毛する。
【００１３】
好ましくは、ステップＳ１３では、発熱ヘッドを肌の表面に接触させると、発熱ヘッドが押されて収縮し、センサーをトリガーして、加熱ワイヤーを電気的に導通し発熱させ、発熱ヘッドを肌の表面から離すと、発熱ヘッドはバネによりその伸びた状態を取り戻し、センサーが感知しなくなり、加熱ワイヤーの電源が切られて発熱が停止する。
【００１４】
好ましくは、ステップＳ１３では、タイマー又は計時器が設けられ、加熱ワイヤーの電気的導通の時間がタイマー又は計時器によりセットされた時間を超えると、加熱ワイヤーへの通電が停止する。
【００１５】
本発明は、脱毛器をさらに提供する。該脱毛器は、本体部材と、当該本体部材を収容するハウジングとを備える。本体部材は、発熱ヘッドと、ホルダーと、回路基板とを備える。発熱ヘッドには加熱ワイヤーが固定され、該加熱ワイヤーは、制御可能に当該回路基板に電気的に接続されている。脱毛器の発熱ヘッドを脱毛が必要な肌の領域に置くと、加熱ワイヤーに通電されて発熱して毛髪を定温で加熱する。
【００１６】
好ましくは、回路基板には、第１の電気的接触点が設けられ、ホルダーには、第２の電気的接触点が設けられており、発熱ヘッドを脱毛が必要な肌の領域に置くと、発熱ヘッドの動きによりホルダー内の第２の電気的接触点と第１の電気的接触点が電気的に導通される。
【００１７】
好ましくは、ホルダーと回路基板との間にバネが設けられ、発熱ヘッドを肌の表面から離すと、バネの力により第１の電気的接触点と第２の電気的接触点が電気的に切断されて加熱ワイヤーへの通電及び発熱を停止する。
【００１８】
好ましくは、加熱ワイヤーの定温の加熱温度を２５０℃〜４５０℃に設定するか、又は加熱ワイヤーの加熱温度を、２５０℃〜３００℃の第１の調整可能な範囲と、３００℃〜４００℃の第２の調整可能な範囲と、４００℃〜４５０℃の第３の調整可能な範囲との３つの調整可能な範囲に設定する。
【発明の効果】
【００１９】
従来の技術と比べると、本発明に係る脱毛器は、使用時に、ユーザーが必要に応じて任意の時点で起動することができる。つまり、脱毛が必要な場合のみ、加熱ワイヤーが自動的に起動されて電熱し脱毛する。一旦肌の領域から離すと、又はその他、脱毛の必要がない場合は、加熱ワイヤーの発熱が直ちに停止される。したがって、その使用は非常に安全で人間に優しい。本発明の必要に応じて脱毛器を任意の時点で起動するということは、次の２種類の方法により具現化することができる。その１つは、手動のスイッチボタンにより、脱毛が必要な場合に、スイッチボタンを押したままの状態で加熱ワイヤーを発熱させて脱毛し、必要がない場合はスイッチボタンを放して脱毛器を待機状態に復帰させる。このような方法は、人の手と身体との協調を利用して脱毛器を使用する場合にはより人々の使用習慣に合致する。もう１つは、光電感知器により加熱ワイヤーの発熱を制御して脱毛する。発熱ヘッドが肌の表面に接触すると、すなわちユーザーがすでに脱毛の準備を終えている場合、光電センサーが直ちにトリガーされて加熱ワイヤーを導通し、それを発熱させて脱毛する。このような方法は、自動感知制御の原理により必要に応じて脱毛器を任意の時点で起動するという脱毛方法を実現し、本発明に係る脱毛器を使用する場合には、脱毛器をより正確で安全に使用することができる。このほかに、本発明では、複数の定温の加熱範囲を設けることができ、ユーザーは自身のニーズに合わせて加熱温度を適宜選択することができる。例えば、太い毛髪の場合、温度が比較的高い加熱レベルを選び、細い毛髪の場合、温度が比較的低い加熱レベルを選ぶことができる。このように選択可能な複数の加熱レベルを設けることは、ユーザーにとってより実用的であり、便利である。しかも、脱毛するときには、いずれも定温で加熱し、その実現方法は、直流定電圧で加熱ワイヤーに通電し、その加熱パワーが変わらないよう保持させることによって実現することができる。それにより、制御方法はより一層簡単になると同時に、脱毛領域における毛髪が均一に熱せられて、脱毛効果はより高まる。本発明の脱毛器は、構造的に取り外し可能な発熱ヘッドが接続される方法を採用することができ、この場合、メンテナンス及び交換の場合には、力を加えると発熱ヘッドが軽く抜け、それを取り外し交換できるようになり、使用及びメンテナンスに非常に便利である。さらに、本発明に係る脱毛器は、使用状態のときには、その加熱ワイヤーが肌と直接接触しないように構成することができる。それにより、一方では、高熱の加熱ワイヤーが肌に接触して肌を火傷するというリスクを防止することができ、もう一方では、加熱ワイヤーを用いて毛髪を焼き切ると同時に、加熱ワイヤーと接触しない毛髪の根元を高熱の作用により縮ませて、その再生のスピードを遅らせるようにすることができる。
【図面の簡単な説明】
【００２０】
【図１】本発明の一実施形態に係る脱毛器の立体構造概略図である。
【図２】本発明の一実施形態に係る脱毛器の立体分解構造概略図であり、キャップ、上部カバー、下部カバー、及び本体部材を含む。
【図３】本発明の一実施形態に係る脱毛器の上部カバーと本体部材の組み合わせ状態を示す立体概略図である。
【図４】本発明の一実施形態に係る脱毛器の本体部材の立体分解概略図であり、発熱ヘッド、ホルダー、固定台座、回路基板、装飾板、及びスイッチ基板を含む。
【図５】本発明の一実施形態に係る脱毛器の発熱ヘッド、ホルダー、及び固定台座の立体組立構造概略図である。
【図６】図４に示される本体部材の発熱ヘッドの立体構造概略図である。
【図７】図４に示される本体部材のホルダーの立体構造概略図である。
【図８】本発明の一実施形態に係る本体部材の発熱ヘッドとホルダーの立体組立構造概略図である。
【図９】図４に示される本体部材の固定台座の立体構造概略図である。
【図１０】本発明の一実施形態に係る本体部材のホルダーと固定台座の立体組立構造概略図である。
【図１１】本発明の一実施形態に係る本体部材の回路基板の立体構造概略図であり、回路基板には、本発明の一実施形態に係る脱毛器の制御システムが集積されている。
【図１２】図１１に示される回路基板に集積される制御システムの回路図であり、該制御システムは、レギュレーター、制御回路、集積増幅回路、スイッチ回路、及び駆動回路を含む。
【図１３】図１２に示される制御システムの集積増幅回路の回路図である。
【図１４】図１２に示される制御システムのスイッチ回路の回路図である。
【図１５】図１２に示される制御システムの駆動回路の回路図である。
【図１６】本発明の一実施形態に係る脱毛器の制御方法のフロー概略図である。
【図１７】本発明の一実施形態に係る脱毛器の他の制御方法のフロー概略図である。
【発明を実施するための形態】
【００２１】
本発明の目的、技術方案及び利点をより明らかにするために、以下、図面及び実施形態に基づき、本発明をさらに詳細に説明する。理解すべきは、ここに示される具体的な実施形態は、単に本発明を説明するものであり、本発明を限定するものではないことである。
【００２２】
図１を参照されたい。本発明の一実施形態に係る脱毛器１００は、全体的に四角形を呈し、それぞれの角に緩めの曲線形状が設けられており、脱毛器の長さはその幅よりも厚さよりも大きい。長さは幅の２倍〜５倍であり、厚さの３倍〜１０倍である。このような設計の目的は、ユーザーが容易に把持するためである。上記脱毛器の寸法のデザインは、次のように意図されている。すなわち、その長さが人の手の長さに相当すること、幅が脱毛する横方向のピッチとなり、身体の脱毛が必要な部位の平均幅未満になること、厚さの寸法は、主に加熱装置の取付け厚さによって求められる寸法になることである。当然ながら、その厚さが小さいほど良く、そうすれば装置全体の重さ及びサイズを低減するだけでなく、使用するときより便利である。上記の寸法により構成される脱毛器は、その構造全体がよりコンパクトになり、ユーザーにとってより軽く便利に使用され、ユーザーの人間に優しいという要求をより満たすことができる。
【００２３】
図２を参照されたい。脱毛器１００は、本体部材１０７を備え、該本体部材１０７には、脱毛器全体のすべての主要な構成部材が集積されている。美観及び至便性のため、それをさらに覆って、本体部材１０７の上方及び下方にそれぞれ上部カバー１０３と下部カバー１０５が取り付けられ、該上部カバー１０３、下部カバー１０５の寸法は、本体部材１０７の寸法に相当する。上部カバー１０３は、本体部材１０７の上方からそれを装飾してカバーし、下部カバー１０５は、本体部材１０７の下方からそれを装飾してカバーする。取り付けられた後、上部カバー１０３と下部カバー１０５が一体に組み合わされて本体部材１０７がその中に収容され、本体部材１０７の上部、下部の密封した装飾が実現される。さらに、脱毛器１００の至便性及び安全性が満たされるように、本体部材１０７のヘッド部にはトップキャップ１０１が設けられて、該トップキャップ１０１は本体部材１０７のヘッド部をその中に収容する。さらに、トップキャップ１０１は同時に上部カバー１０３と下部カバー１０５とのヘッド部をその中に収容することができる。したがって、トップキャップ１０１、上部カバー１０３、下部カバー１０５及び本体部材１０７が一体に組み立てられた後、直方体状の、上部カバー１０３、下部カバー１０５及びトップキャップ１０１により美しく装飾、密封された脱毛器１００の全体が形成される。
【００２４】
上部カバー１０３の端部には、上部ストッパー１０３１が設けられ、下部カバー１０５の対応する端部には、下部ストッパー１０５１が設けられ、トップキャップ１０１は、上部ストッパー１０３１と下部ストッパー１０５１とに合わせて嵌合する。上部カバー１０３と下部カバー１０５が組み合わせて取り付けられた後、上部ストッパー１０３１と下部ストッパー１０５１が本体部材１０７の加熱部位を防護し、ユーザーが使用するときの安全性を保証する。
【００２５】
トップキャップ１０１の内壁には、一対のヘッダー１０２１が設けられ、上部ストッパー１０３１と下部ストッパー１０５１との表面にヘッダー１０２１と組み合わせて対応するヘッダースロット１０３３が設けられる。取り付けは、トップキャップ１０１のヘッダー１０２１がそれぞれ上部カバー１０３と下部カバー１０５とのヘッダースロット１０３３に合わせて取り付けられ、トップキャップ１０１を上部カバー１０３、下部カバー１０５、及びそれらの間の本体部材１０７に摺動して嵌合する。
【００２６】
図３を参照されたい。上部カバー１０３の上部ストッパー１０３１下方の表面には、四角形のボタン穴１０３５が設けられ、ボタン穴１０３５は本体部材１０７の制御ボタンに対応して設置される。特に、ボタン穴１０３５の周り、ひいては上部カバー１０３全体の表面、ひいては下部カバー１０５及びトップキャップ１０１のいずれかには、美しい装飾模様を彫刻するか、貼り付けることができる。上部カバー１０３の表面には、複数の指示灯穴１０３７がさらに設けられる。同様に、複数の指示灯穴１０３７が本体部材１０７における複数の指示灯に対応して設置される。
【００２７】
図４及び図５を参照されたい。本体部材１０７全体は細長い形状を呈し、その先端は発熱ヘッド１０７１であり、発熱ヘッド１０７１の後ろはホルダー１０７３であり、ホルダー１０７３の後ろは固定台座１０７５であり、さらに固定台座１０７５を覆うように固定される回路基板１０７７が設けられている。発熱ヘッド１０７１がホルダー１０７３に接続され、ホルダー１０７３が固定台座１０７５に固定される。固定台座１０７５の周りにこれを取り囲むように装飾部材１０７８が嵌められる。装飾部材１０７８が固定台座１０７５の周りを覆い、上部カバー１０３、下部カバー１０５の形状と同一である。上部カバー１０３と下部カバー１０５を取り付けるとき、当該装飾部材１０７８により固定台座１０７５の周辺領域を上部カバー１０３、下部カバー１０５に継ぎ目なく組み合わせることができる。回路基板１０７７の表面には、スイッチ基板１０７９が設けられ、スイッチ基板１０７９は上部カバー１０３のボタン穴１０３５内に合わせて設置され、脱毛器１００全体の作業の制御盤となる。美観及び防滑デザインのため、スイッチ基板１０７９の表面は非平面の粗面構造が設けられる。固定台座１０７５には、バッテリー１０８５がさらに収容されている。該バッテリー１０８５は、本実施形態の脱毛器１００の総エネルギーの出力源として、発熱ヘッド１０７１と電気的に導通され、発熱ヘッド１０７１に加熱エネルギーを供給する。
【００２８】
図６を参照されたい。発熱ヘッド１０７１の使用端には、コンタクトヘッド１０６１が設けられ、コンタクトヘッド１０６１は肌と直接接触し、肌の表面を平らにする。コンタクトヘッド１０６１は、対称に設けられる２列のプレス歯１０６２を備え、２列のプレス歯１０６２の間には、一定の隙間が保たれるようになっている。加熱ワイヤー１０６３がこの隙間内に設けられ、加熱ワイヤー１０６３の取り付け高さはプレス歯１０６２の取り付け高さよりもやや低い。つまり、プレス歯１０６２が最初に肌に接触するときに、加熱ワイヤー１０６３は肌に接触しない。プレス歯１０６２により肌を下に押し、脱毛しようとする肌の領域を平らにしてから、初めて加熱ワイヤー１０６３が肌の表面の毛髪を脱毛し始める。このように設計することで、一方で、使用時に肌の表面を火傷することを防止でき、他方で、熱により毛髪の根元を火傷して、その再生のスピードを遅らせ、本実施形態の脱毛器の脱毛効果をより高めることができる。発熱ヘッド１０７１の取付端には、２つの導電穴１０６４が設けられ、ホルダー１０７３が導電穴１０６４を貫通して発熱ヘッド１０７１を固定する。該固定方法は組み合わせて仮固定する方法であり、力を加えると発熱ヘッド１０７１が軽く抜けて、それを取り外すことができる。当然ながら、ここにいう固定方法は、組み合わせて仮固定することに限定されず、容易に取り外すことができればいずれの固定方法、例えば、バックル式、磁吸式などの固定方法も応用できる。このほかに、該導電穴１０６４は、固定穴として発熱体をホルダーに固定するのに用いられるほか、導電接続にも用いられる。２つの導電穴１０６４がそれぞれ２つのシートメタル（不図示）に接続され、シートメタルが加熱ワイヤー１０６３の両端、すなわち加熱ワイヤー１０６３の正負極に接続される。ホルダー１０７３が導電穴１０６４を貫通した後、ホルダー１０７３の導電素子が導電穴１０６４内のシートメタルと電気的に接続される。発熱ヘッド１０７１の取付端における２つの導電穴１０６４の間に照明灯穴１０６５が設けられ、該照明灯穴１０６５は照明指示灯を収容するのに用いられる。
【００２９】
図７及び図８を参照されたい。ホルダー１０７３は支持体１０６６を備え、支持体１０６６の一端が２つの導電ポスト１０６９に接続され、該２つの導電ポスト１０６９が発熱ヘッド１０７１にプラグイン可能に接続されて導電され、他端が２つの電気接触ヘッド１０６８に接続され、２つの電気接触ヘッド１０６８が固定台座１０７５に接触するように弾力性によって接続されて導電される。支持体１０６６の発熱ヘッド１０７１と接続する一端には、照明灯１０６７が設けられ、該照明灯１０６７の寸法、位置は発熱ヘッド１０７１の照明灯穴１０６５に対応する。本実施例には、照明灯１０６７が２つの導電ポスト１０６９の間に設けられている。該照明灯１０６７は、ほとんどがＬＥＤライトであり、その発光色は複数種類にすることができる。本実施形態には、青色のＬＥＤライトが設けられている。青色は毛髪を軟化する機能があり、このようなデザインにより、脱毛器１００により容易に、より徹底的に脱毛することができる。一方で、該ＬＥＤライトが使用される場合、ユーザーが脱毛後の効果をより容易に観察することができ、人間に優しいという要求をより満たすことができる。当然ながら、照明灯１０６７の位置は２つの導電ポスト１０６９の間に取り付けることだけに限らず、ホルダー１０７３の他の位置に取り付けることができ、また、ホルダー１０７３に取り付けることだけに限らず、脱毛領域を照明する役割を果たす限りいずれの位置であっても使用することができる。
【００３０】
図９及び図１０を参照されたい。固定台座１０７５がホルダー１０７３及び発熱ヘッド１０７１を固定し支持するのに用いられ、ホルダー１０７３及び発熱ヘッド１０７１が固定台座１０７５の先端に固定され、固定台座１０７５の後端は電源キャビティー１０８４が設けられ、該電源キャビティー１０８４はバッテリー１０８５を収容するのに用いられる。固定台座１０７５の最先端にはガイドローラー１０８３が設けられ、該ガイドローラー１０８３の位置はコンタクトヘッド１０６１に対応する。使用されるときには、ガイドローラー１０８３も肌に接触する。その主要な機能はコンタクトヘッド１０６１と同様で、使用されるときに、脱毛が必要な肌の領域を平らにして押し付けるような処理をする。同時に、ガイドローラー１０８３は移動の支点としても設けられてあり、脱毛器１００が往復で脱毛するとき摺動するのに便利である。固定台座１０７５の電源キャビティー１０８４のホルダー１０７３に対応する位置に２つの導電ヘッド１０８１が設けられ、該２つの導電ヘッド１０８１はバッテリー１０８５の正負極出力端に電気的に接続され、位置が固定される導電素子として用いられる。導電ヘッド１０８１それぞれにバネ１０８６が覆うように設けられ、バネ１０８６の一端が導電ヘッド１０８１に固定され、他端がホルダー１０７３の電気接触ヘッド１０６８に固定される。初期状態では、バネ１０８６両端の電気接触ヘッド１０６８と導電ヘッド１０８１は接触せず、使用状態では、バネ１０８６は外力による収縮を介してホルダー１０７３の電気接触ヘッド１０６８を導電ヘッド１０８１に接触させ、電気的導通を実現することによって、バッテリー１０８５を発熱ヘッド１０７１に通電する。外力が低減するか又は存在しない場合、バネ１０８６が元に戻り始め、電気接触ヘッド１０６８と導電ヘッド１０８１を分離し、バッテリー１０８５から発熱ヘッド１０７１への通電を遮断する。
【００３１】
図１１を参照されたい。回路基板１０７７が固定台座１０７５を覆うとともに、電源キャビティー１０８４内のバッテリー１０８５に電気的に接続され、バッテリー１０８５の電圧出力を制御する。回路基板１０７７の表面には、スイッチボタン１０９１、青色の起動指示灯１０９２、赤色の使用指示灯１０９３及び緑色の充電指示灯１０９４が設けられている。スイッチボタン１０９１の位置は上部カバー１０３におけるボタン穴１０３５に対応し、起動指示灯１０９２、使用指示灯１０９３、及び充電指示灯１０９４の位置は上部カバー１０３における指示灯穴１０３７に対応する。回路基板１０７７の末端に充電用挿入穴１０９５が設けられ、該充電用挿入穴１０９５は内部のバッテリー１０８５を充電するのに用いられる。
【００３２】
本実施形態の脱毛器１００を組み立てるプロセスにおいて、
まず、ホルダー１０７３を固定台座１０７５に取り付け、取り付けるとき電気接触ヘッド１０６８を固定台座１０７５のバネ１０８６内に挿入し、ホルダー１０７３が直立して弾性摺動することだけができるように保持する。ホルダー１０７３が取り付けられた後、ホルダー１０７３における導電ポスト１０６９が固定台座１０７５から突起しており、後続の発熱ヘッド１０７１を導電ポスト１０６９に挿入するのに便利である。その後、バックル式で固定するか又はねじで固定する方法を採用して回路基板１０７７を固定台座１０７５にこれを覆うように取り付けることができる。その後、回路基板１０７７のスイッチボタン１０９１を覆うように、スイッチ基板１０７９を回路基板１０７７に固定する。これで、本体部材１０７全体の取り付けが終了する。
【００３３】
その後、続けて装飾部材１０７８を本体部材１０７の周りに取り付ける。上部カバー１０３を本体部材１０７の上部に取り付け、下部カバー１０５を本体部材１０７の下部に取り付ける。上部カバー１０３、下部カバー１０５、装飾部材１０７８を組み合わせて取り付けた後、本体部材１０７をその中に収容する。
【００３４】
最後に、発熱ヘッド１０７１をホルダー１０７３に取り付ける。発熱ヘッド１０７１がホルダー１０７３の導電ポスト１０６９に組み合わせて仮固定するように挿入されるため、その取り付け／取り外しは非常に便利である。したがって、異なるユーザーのニーズに合わせるように、本実施例には、複数の寸法及びタイプを選んで発熱ヘッド１０７１を使用することができる。なお、発熱ヘッド１０７１を取り付けた後、トップキャップ１０１を覆うように取り付け、トップキャップ１０１のヘッダー１０２１と上部カバー１０３、下部カバー１０５のヘッダースロット１０３３との組み合わせにより、発熱ヘッド１０７１をトップキャップ１０１内に封入する。
【００３５】
図１２を参照されたい。本発明は脱毛器１００の制御方法を提供する。回路基板１０７７には、脱毛器１００全体を制御する制御システム２００が集積されている。制御システム２００は、レギュレーター２０１、制御回路２０３、集積増幅回路２０５、スイッチ回路２０７、及び駆動回路２０９からなる。前記レギュレーター２０１、集積増幅回路２０５、スイッチ回路２０７、及び駆動回路２０９はいずれも前記制御回路２０３に接続し、前記レギュレーター２０１により前記制御回路２０３に出力電圧を供給する。前記スイッチ回路２０７が導通された後、前記制御回路２０３がＡ／Ｄ変換された後、前記集積増幅回路２０５と前記駆動回路２０９とにアナログ信号を送り、前記発熱装置を正常に働かせる。
【００３６】
前記レギュレーター２０１は、前記電源の電圧を適当な加熱電圧に減圧するのに用いられ、制御回路２０３におけるワンチップマイコンＵ２の電源とする。本実施形態の電源は一般にリチウム電池を使用し、その電圧は６．６Ｖ〜８．４Ｖであり、好ましくは７．４Ｖである。
【００３７】
前記制御回路２０３は、ワンチップマイコンＵ２を用いて機器の主要な作業プロセスを制御する。その機能は、バッテリー１０８５の充電、加熱ワイヤー１０６３の検出と駆動、スイッチボタン１０９１の入力の制御と検出、作業状態における指示灯の表示、及び本実施形態の脱毛器１００の起動プロセスの光電的検出などを含む。
【００３８】
図１３を参照されたい。前記集積増幅回路２０５は、加熱ワイヤーＦＲＳ１０６３の電流がＲ１２（０．０５Ω）を通過するように駆動するのに用いられる。Ｒ１２における電圧信号はＵ３構成の同期式比例増幅回路により増幅された後、信号をワンチップマイコンＵ２に出力し、異なる駆動電圧を供給できるように、加熱ワイヤー１０６３の長さを検出し、使用される発熱ヘッド１０７１が長いワイヤーであるのか短いワイヤーであるのかを判別するのに用いられる。本実施形態の脱毛器１００は、２種類の異なる加熱ワイヤー１０６３に応用することができる。この２種類の異なる加熱ワイヤー１０６３は、一つが長い加熱ワイヤーであり、もう一つが短い加熱ワイヤーであり、それぞれ異なる毛髪に用いることができる。例えば、長い加熱ワイヤーは長さが比較的長い毛髪に応用し、短い加熱ワイヤーは長さが比較的短い毛髪に応用する。該集積増幅回路２０５は、検出される異なる結果に応じてそれぞれ異なる駆動電圧を供給する。それによって、該加熱ワイヤー１０６３は、ガイドローラー１０８３が肌の表面で転動すると発熱し、長さが異なる毛髪に対しては、異なる発熱量を与えることを実現する。
【００３９】
上記は直流供給電源により通電し、長さが異なる加熱ワイヤー１０６３に対して異なる駆動電圧を供給することによって、最終的に加熱ワイヤー１０６３に供給される加熱パワーが電圧の変化によって変化し、最終的に異なる状態に応じて異なる脱毛温度を供給することを実現する。長い加熱ワイヤーを使用する場合、２５０℃〜４５０℃の加熱温度を供給し、脱毛器は４５分間にわたって作業することができる。短い加熱ワイヤーを使用する場合、２００℃〜４００℃の加熱温度を供給し、脱毛器は８５分間にわたって作業することができる。
【００４０】
さらに、一つの変形として、加熱ワイヤー１０６３を交換しない場合、レギュレーター２０１により加熱ワイヤー１０６３に異なる電圧を供給し、加熱ワイヤー１０６３に次のような加熱範囲を設定する。すなわち、長いワイヤーの場合は、２５０℃〜４５０℃の加熱範囲を設定し、短いワイヤーの場合は、２００℃〜４００℃の加熱範囲を設定する。その構造的表現方法は次のようであっても良い。すなわち、回路基板１０７７には、複数のレベルのボタンを設け、それぞれのレベルは対応する一定の駆動電圧を供給する。直流供給電源を使用するので、その供給電流は変わらないよう保持される。駆動電圧が異なる場合、その加熱パワーも異なり、最終的に異なる加熱温度を実現する。例えば、回路基板１０７７には３つのレベルのボタンを設け、長いワイヤーを用いて加熱する場合には、それぞれ、長いワイヤーのレベル１の加熱は、供給電圧が４．６Ｖ、加熱温度が２５０℃〜３００℃であり、長いワイヤーのレベル２の加熱は、供給電圧が５．２Ｖ、加熱温度が３００℃〜４００℃であり、長いワイヤーのレベル３の加熱は、供給電圧が５．９Ｖ、加熱温度が４００℃〜４５０℃である。短いワイヤーを用いて加熱する場合には、それぞれ、短いワイヤーのレベル１の加熱は、供給電圧が２．７Ｖ、加熱温度が２００℃〜３００℃であり、短いワイヤーのレベル２の加熱は、供給電圧が３．０Ｖ、加熱温度が３００℃〜３５０℃であり、短いワイヤーのレベル３の加熱は、供給電圧が３．２Ｖ、加熱温度が３５０℃〜４００℃である。異なる領域又は異なるユーザーに対して異なるレベルを選んで脱毛することができる。男性の比較的太い毛髪の場合、長いワイヤーを選んで脱毛温度をレベル３に調整してから脱毛し始め、女性の比較的細い毛髪の場合、短いワイヤーを選んで脱毛温度をレベル１に調整してから脱毛し始める。このように複数のレベル、複数の選択肢を設けることにより、本実施形態の脱毛器はユーザーの人間に優しいという要求をより満たすようになっている。
【００４１】
図１４を参照されたい。ユーザーがスイッチボタン１０９１を押すと、前記スイッチ回路２０７に対応するスイッチＳ１が押され、ＭＯＳトランジスタＱ３が導通する。ワンチップマイコンＵ２の電源が＋５Ｖである場合、ワンチップマイコンＲＡ３端子の正常な状態はハイレベルである。スイッチＳ１が押される場合、ＲＡ３端子はハイレベルからローレベルに変化し、本実施形態の脱毛器１００が起動されて脱毛作業が開始する。脱毛作業中にスイッチＳ１が押された場合、ワンチップマイコンＵ２がＲＡ３端子のレベルの変化を検知すると、本実施形態の脱毛器１００の電源が切られる。
【００４２】
図１５を参照されたい。前記駆動回路２０９は、実施形態の制御回路２０３を駆動するのに用いられる。充電器に接続されていない場合、スイッチＳ１を押すと、ＭＯＳトランジスタＱ３が導通し、ワンチップマイコンＵ２の電源が５Ｖであり、ワンチップマイコンＵ２はＲＡ５端子をハイレベルにし、トランジスタＱ１が導通され、ＭＯＳトランジスタＱ２、ＭＯＳトランジスタＱ３を導通するように保持し、電源を確保する。充電器に接続される場合、充電電圧が電気抵抗Ｒ８、Ｒ７によって分圧された後トランジスタＱ４を駆動し、ＭＯＳトランジスタＱ３を導通させ、ワンチップマイコンＵ２の電源が＋５Ｖであり、ワンチップマイコンＵ２はＲＡ５端子をハイレベルにし、トランジスタＱ１が導通され、ＭＯＳトランジスタＱ２を導通させて、電池を充電する。
【００４３】
図１６を参照されたい。本発明は脱毛器１００の使用方法を提供する。
【００４４】
ステップ１、ホルダーの導電ポストに取り外し可能な発熱ヘッド１０７１を取り付ける。発熱ヘッド１０７１の加熱ワイヤー１０６３は長い加熱ワイヤー又は短い加熱ワイヤーを選んで使用することができる。長い加熱ワイヤーの脱毛温度は２５０℃〜４５０℃であり、短い加熱ワイヤーの脱毛温度は２００℃〜４００℃である。ユーザーはニーズに応じて適当な加熱ワイヤー１０６３を選んで使用することができる。例えば、毛髪が比較的長くて太い場合、加熱温度が比較的高い長い加熱ワイヤーを選び、毛髪が比較的短く細い場合、加熱温度が比較的低い短い加熱ワイヤーを選ぶ。このほかに、加熱ワイヤー１０６３は複数のタイプがあり、上記の２種類のタイプのみに限定されず、最終的にユーザーは２００℃〜４５０℃の温度範囲内に対応する加熱ワイヤー１０６３を選んで脱毛することができる。
【００４５】
ステップ２、スイッチボタン１０９１を２秒間軽く押すと脱毛器１００が起動され、このとき集積増幅回路２０５が加熱ワイヤー１０６３の長さを検知し始め、異なる駆動電圧を供給するために、加熱ワイヤー１０６３が長い加熱ワイヤーであるのか短い加熱ワイヤーであるのかを判別する。見分けが楽なように、起動指示灯１０９２は青色のライトとし、使用指示灯１０９３は赤色のライトとする。集積増幅回路２０５が長い加熱ワイヤーを検出すると、青色の起動指示灯１０９２が２回点滅し、「ピ」と音を出し、脱毛器１００が使用待機状態に入り、このときには長い加熱ワイヤーが取り付けられていることをユーザーに示す。集積増幅回路２０５が短い加熱ワイヤーを検出すると、青色の起動指示灯１０９２が１回点滅し、「ピ」と音を出し、このときには短い加熱ワイヤーが取り付けられ、脱毛器が使用待機状態に入っていることをユーザーに示す。集積増幅回路２０５が加熱ワイヤー１０６３を検出していなければ、このときには加熱ワイヤー１０６３が取り付けられていないか、又は加熱ワイヤー１０６３が壊れていることを示し、赤色の使用指示灯１０９３が２回点滅し、警報アラームが鳴り、加熱ワイヤー１０６３に異常があることをユーザーに示すと同時に、電源を切るように注意を促す。
【００４６】
ステップ３、加熱ワイヤー１０６３が正常に取り付けられ、システムが使用待機状態に入ると、再びスイッチボタン１０９１を２秒以上押したままにすることで、スイッチ回路２０７により脱毛器１００を作業状態に変化させ、このときには赤色の使用指示灯１０９３が点灯し、加熱ワイヤー１０６３が赤熱する。このとき加熱ワイヤー１０６３は、所定の温度に達し、脱毛することができるようになっていることをユーザーに示す。ユーザーはスイッチボタン１０９１を押したまま、発熱ヘッド１０７１を脱毛が必要な肌の領域に置き脱毛する。逆に、スイッチボタン１０９１を放すと、スイッチ回路２０７は直ちに加熱ワイヤー１０６３の電源を切断する。加熱ワイヤー１０６３が発熱を停止し、赤色の使用指示灯１０９３が消灯し、脱毛器１００を待機状態に復帰させる。このとき、この時点で加熱ワイヤー１０６３の電源がすでに切断され発熱せず、脱毛器１００を肌の脱毛領域から離すことができることを示す。同様の操作で、ユーザーが脱毛器１００をその他の肌の領域に使用する必要がある場合、再びスイッチボタン１０９１を押したまま加熱ワイヤー１０６３を起動し、当該領域の脱毛操作を開始することができ、脱毛終了後、スイッチボタン１０９１を放し、脱毛器１００をその肌の領域から離して、脱毛器１００を待機状態に復帰させる。このように繰り返し、ユーザーが肌の各領域に脱毛を実施することを自在に制御することができる。スイッチボタンのワンボタンという操作方式のみを使用するので、非常に便利で自在に使用することができる。
【００４７】
ステップ４、ユーザーは脱毛終了した後スイッチボタン１０９１を軽く押し、スイッチ回路２０７により加熱ワイヤー１０６３及び回路基板１０７７の供給電源を切断する。このとき加熱ワイヤー１０６３は発熱せず、青色の起動指示灯１０９２が消灯し、現在脱毛器１００が電源オフ状態に入っていることをユーザーに示す。このほかに、安全性及び人間的設計を具現化するために、本実施形態のスイッチ回路２０７にはタイマーが設けられ、脱毛器１００を所定の時点で電源を切るように用いることができる。本実施形態の脱毛器１００は、１５分間作業後、自動的に電源を切るように設定されている。それにより作業時間が長すぎることによる放熱不良を防止し、長時間の作業状態では隠れた危険を防止する。
【００４８】
特に、脱毛器１００を用いて脱毛する場合、発熱ヘッド１０７１のコンタクトヘッド１０６１が表層の肌に接触した後、その内部の加熱ワイヤー１０６３と肌との間に０．１ミリメートル前後の隙間がある。これは主に高熱の加熱ワイヤー１０６３が肌に接触して肌に火傷をするようなリスクを防止するためである。このほかに、加熱ワイヤー１０６３の脱毛原理は、加熱ワイヤー１０６３を用いて毛髪を焼き切ると共に、加熱ワイヤー１０６３に接触しない毛髪の根元を高熱の作用で縮ませて、その再生のスピードを遅らせることであり、髭剃りの方法における毛髪を直接焼き切るという原理とは異なる。したがって、予め０．１ミリメートルの脱毛隙間をとっておくことは、１つには、安全であること（肌の火傷の防止）、２つには、毛髪を高熱で縮ませて、その再生のスピードを遅らせるようにするためである。当然ながら、本実施形態において、脱毛隙間は大きくても小さくても良く、一般に０ミリメートルより大きく、３０ミリメートル未満にする。
【００４９】
さらに、一定の期間にわたって脱毛器１００を使用してから、定期にバッテリー１０８５を充電する必要がある。充電する場合、駆動回路２０９により入力電圧を定格電圧に調整した後、充電し始めて、充電開始後、緑色の充電指示灯１０９４が引き続き点灯し、このとき脱毛器１００が充電状態に入っていることをユーザーに示す。一定の期間にわたって連続して充電してから、緑色の充電指示灯１０９４が消灯し、このときバッテリー１０８５の充電が完了したことをユーザーに示す。
【００５０】
図１７を参照されたい。本発明は脱毛器１００の更なる使用方法を提供する。この使用方法は上記の使用方法とほぼ一致するが、ステップ３のみが異なる。
【００５１】
本使用方法のステップ３では、システムが待機状態に入ると、脱毛器１００の発熱ヘッド１０７１を脱毛が必要な肌の表面に置く。このとき、発熱ヘッド１０７１のコンタクトヘッド１０６１が肌の表面との接触により収縮し、ホルダー１０７３全体を動かして収縮する。所定の位置まで収縮すると、すなわち発熱ヘッド１０７１のトップ部がガイドローラー１０８３のトップ部と同一線上にくると、ホルダー１０７３の電気接触ヘッド１０６８と固定台座１０７５の導電ヘッド１０８１が接触し通電され、加熱ワイヤー１０６３と導電回路を形成し、バッテリー１０８５により加熱ワイヤー１０６３へ安定した供給電圧を供給する。このとき、赤色の使用指示灯１０９３が点灯し、加熱ワイヤー１０６３が赤熱する。このとき加熱ワイヤー１０６３が所定の温度に達し、脱毛することができるようになっていることをユーザーに示す。ユーザーは脱毛器１００を把持して往復移動させ、発熱ヘッド１０７１を肌の表面から離さないようにするだけで持続して脱毛することができる。逆に、一旦発熱ヘッド１０７１を放し、コンタクトヘッド１０６１を肌の表面から離すと、バネ１０８６の作用で、電気接触ヘッド１０６８と導電ヘッド１０８１が直ちに分離し切断され、加熱ワイヤー１０６３が発熱を停止し、赤色の使用指示灯１０９３が消灯して、脱毛器１００を待機状態に復帰させる。同様の操作で、ユーザーが再びその他の肌の領域に使用する必要がある場合、発熱ヘッド１０７１を脱毛が必要な領域に置いてから発熱ヘッド１０７１を軽く押すだけで、加熱ワイヤー１０６３を導電して発熱させ、脱毛操作することができ、脱毛終了後、発熱ヘッド１０７１を放して、それを肌の表面から離し、加熱ワイヤー１０６３への通電を停止して、脱毛器１００を待機状態に復帰させる。このように繰り返し、ユーザーが肌の各領域に脱毛を実施することを自在に制御することができる。ポイント接触式構造を使用して加熱ワイヤー１０６３の電気的導通を実現する操作方式を用いているので、非常に便利で自在に使用することができる。
【００５２】
一つの変形として、上記のポイント接触式構造を使用して加熱ワイヤー１０６３の電気的導通を実現する以外に、固定台座１０７５又は回路基板１０７７に光電感知器又はセンサーを設けても良い。コンタクトヘッド１０６１がホルダー１０７３を動かして後ろに向かって収縮させると、該光電感知器をトリガーし、制御回路２０３により加熱ワイヤー１０６３の電力供給回路を導通し、加熱ワイヤー１０６３の通電ができて発熱して脱毛する。脱毛終了後、バネ１０８６の作用を介して、ホルダー１０７３及び発熱ヘッド１０７１がリセットし始め、光電感知器が感知しないようにし、加熱ワイヤー１０６３の供給回路を切断し、加熱ワイヤー１０６３が発熱を停止して、脱毛器１００を待機状態に復帰させる。このような加熱ワイヤー１０６３の導通方法は、ポイント接触式構造に比べてより便利で実用的であり、同時に制御の精度もより高い。
【００５３】
従来の技術と比べると、本実施形態の脱毛器１００は使用時にユーザーが必要に応じて脱毛器を任意の時点で起動することができる。つまり、脱毛するときだけ加熱ワイヤー１０６３を自動的に起動させて電熱で脱毛する。肌の領域から離すと、又はその他の脱毛の必要がない場合には、加熱ワイヤー１０６３の発熱が直ちに停止される。したがって、それが使用される場合には非常に安全で人間に優しい。本実施形態の必要に応じて脱毛器を任意の時点で起動するということは、次の２種類の方法により具現化される。その１つは、手動のスイッチボタン１０９１により、脱毛が必要な場合に、スイッチボタン１０９１を押したまま加熱ワイヤー１０６３を発熱させて脱毛し、必要がない場合スイッチボタン１０９１を放して、脱毛器１００を待機状態に復帰させる。このような方法は、人の手と身体との協調を利用して脱毛器１００が使用される場合には、より人々の使用習慣に合致する。もう１つは、光電感知器により加熱ワイヤー１０６３の発熱を制御し脱毛する。コンタクトヘッド１０６１が肌の表面に接触すると、すなわちユーザーが脱毛の準備を終えると、光電センサーが直ちにトリガーされて加熱ワイヤー１０６３を導通してそれを発熱させ脱毛する。このような方法は、自動感知制御の原理により必要に応じて脱毛器を任意の時点で起動するという脱毛方法を実現し、本実施形態の脱毛器１００が使用される場合には脱毛器をより正確で安全に使用することができる。このほかに、本実施形態では、複数の定温の加熱範囲が設けられ、ユーザーは自身のニーズに合わせて加熱温度を適宜選択することができる。例えば、太い毛髪の場合、温度が比較的高い加熱レベルを選び、細い毛髪の場合、温度が比較的低い加熱レベルを選ぶことができる。このように複数のレベルの加熱選択を設けることは、ユーザーにとって、より実用的であり、便利である。しかも、脱毛するときには、いずれも定温で加熱し、これを実現する方法は、直流定電圧で加熱ワイヤー１０６３に通電し、その加熱パワーが変わらないよう保持することによって実現することである。それにより、制御方法はより一層簡単になると同時に、脱毛領域における毛髪が均一に熱せられて、脱毛効果はより高まる。本実施形態の脱毛器１００は、構造的に取り外し可能な発熱ヘッド１０７１が接続される方法を採用し、メンテナンス及び交換の場合には、力を加えると発熱ヘッド１０７１が軽く抜け、それを取り外し交換できるようになり、使用及びメンテナンスに非常に便利である。さらに、本実施形態の脱毛器１００は、使用状態のときには、その加熱ワイヤー１０６３が肌と直接接触しない。それにより、高熱の加熱ワイヤー１０６３が肌に接触して肌を火傷するというリスクを防止することができる。一方で、加熱ワイヤー１０６３を用いて毛髪を焼き切ると同時に、加熱ワイヤー１０６３と接触しない毛髪の根元を高熱の作用により縮ませて、その再生のスピードを遅らせるようにする。
【００５４】
前述は本発明の最良の実施形態に過ぎず、本発明を限定するものではない。本発明の原則内で行ったいかなる修正、均等的な変更及び改善などは全て本発明の権利範囲内に含まれるべきである。
【符号の説明】
【００５５】
１００    脱毛器
１０１    トップキャップ
１０３    上部カバー
１０５    下部カバー
１０７    本体部材
１０２１  ヘッダー
１０３１  上部ストッパー
１０３３  ヘッダースロット
１０３５  ボタン穴
１０３７  指示灯穴
１０５１  下部ストッパー
１０６１  コンタクトヘッド
１０６２  プレス歯
１０６３  加熱ワイヤー
１０６４  導電穴
１０６５  照明灯穴
１０６６  支持体
１０６７  照明灯
１０６８  電気接触ヘッド
１０６９  導電ポスト
１０７１  発熱ヘッド
１０７３  ホルダー
１０７５  固定台座
１０７７  回路基板
１０７８  装飾部材
１０７９  スイッチ基板
１０８１  導電ヘッド
１０８３  ガイドローラー
１０８４  電源キャビティー
１０８５  バッテリー
１０８６  バネ
１０９１  スイッチボタン
１０９２  起動指示灯
１０９３  使用指示灯
１０９４  充電指示灯
１０９５  充電用挿入穴
２００  制御システム
２０１  レギュレーター
２０３  制御回路
２０５  集積増幅回路
２０７  スイッチ回路
２０９  駆動回路
【図１】
2015013097.tif 000003
【図２】
2015013097.tif 000004
【図３】
2015013097.tif 000005
【図４】
2015013097.tif 000006
【図５】
2015013097.tif 000007
【図６】
2015013097.tif 000008
【図７】
2015013097.tif 000009
【図８】
2015013097.tif 000010
【図９】
2015013097.tif 000011
【図１０】
2015013097.tif 000012
【図１１】
2015013097.tif 000013
【図１２】
2015013097.tif 000014
【図１３】
2015013097.tif 000015
【図１４】
2015013097.tif 000016
【図１５】
2015013097.tif 000017
【図１６】
2015013097.tif 000018
【図１７】
2015013097.tif 000019